(57)【要約】【課題】騒音を低減でき、しかも、孔版原紙を適切に挟持できる、原紙係止装置を、提供すること。【解決手段】孔版装着体２の外周面２１において、孔版装着体２の軸方向に沿って延在している、固定クランプ板１１と、孔版装着体２の外周面２１において、孔版装着体２の軸方向に沿って延在しており、回動軸回りに回動して孔版装着体２の回転方向側にて固定クランプ板１１に当接する、可動クランプ板１２と、からなっており、固定クランプ板１１の当接面には、孔版装着体２の軸方向に沿って、磁力板１１３が設けられており、可動クランプ板１２が、孔版装着体２の回転方向に沿って、孔版装着体２の半径方向外向きに凸状となった、屈曲形態を、有しているものである。【選択図】図３
2008142902.tif 000002
【特許請求の範囲】
【請求項１】
孔版原紙を孔版装着体に装着し、孔版原紙に対して用紙をプレスローラで押圧して印刷を行う、孔版印刷機において、孔版原紙を孔版装着体に装着する際に孔版原紙の一端を挟持して係止する、原紙係止装置であって、
孔版装着体の外周面において、孔版装着体の軸方向に沿って延在している、固定クランプ板と、
孔版装着体の外周面において、孔版装着体の軸方向に沿って延在しており、回動軸回りに回動して孔版装着体の回転方向側にて固定クランプ板に当接する、可動クランプ板と、からなっており、
固定クランプ板の当接面には、孔版装着体の軸方向に沿って、磁力板が設けられており、
可動クランプ板が、孔版装着体の回転方向に沿って、孔版装着体の半径方向外向きに凸状となった、屈曲形態を、有している、ことを特徴とする孔版印刷機の原紙係止装置。
【請求項２】
固定クランプ板が、孔版装着体の軸方向に沿って延在するリブを有しており、
リブの、孔版装着体の外周面からの突出寸法が、孔版装着体の外周面から、固定クランプ板に当接した可動クランプ板の上面までの、突出寸法に対して、同じに又は小さく、設定されている、請求項１記載の孔版印刷機の原紙係止装置。
【請求項３】
孔版装着体の外周面から、固定クランプ板に当接した可動クランプ板の上面までの、突出寸法が、４ｍｍ以下に設定されている、請求項１記載の孔版印刷機の原紙係止装置。
【発明の詳細な説明】
【技術分野】
【０００１】
本発明は、孔版原紙を孔版装着体に装着する際に孔版原紙の一端を挟持して係止する、原紙係止装置に、関するものである。
【背景技術】
【０００２】
孔版印刷機は、孔版原紙を孔版装着体に装着し、孔版原紙に対して用紙をプレスローラで押圧して印刷を行うようになっている。そして、孔版印刷機は、一般に、特許文献１に示すように、孔版原紙を孔版装着体に装着する際に孔版原紙の一端を挟持して係止する、原紙係止装置を、有している。
【０００３】
ところで、図７の孔版印刷機に示されているように、原紙係止装置９は、孔版装着体２の外周面２１上に設けられており、厚みを有しているので、孔版装着体２の外周面２１から突出している。
【０００４】
図８は従来の原紙係止装置９の断面図である。図８では、孔版原紙１００が挟持されている。原紙係止装置９は、固定クランプ板９１と可動クランプ板９２とからなっている。両板共、孔版装着体２の外周面２１において、孔版装着体２の軸方向に沿って延在している。可動クランプ板９２は、回動軸９２１回りに回動して孔版装着体２の回転方向（矢印Ａ方向）側にて固定クランプ板９１に当接するようになっている。固定クランプ板９１の当接面には、滑り止め用のゴムシート９１１が貼り付けられている。可動クランプ板９２の当接面には、磁力板９２２が貼り付けられている。磁力板９２２は、可動クランプ板９２と一体化するために、可動クランプ板９２と共に、薄い熱収縮性のシート９２３によって包まれている。
【０００５】
したがって、原紙係止装置９の、孔版装着体２の外周面２１からの突出寸法、すなわち、厚さＴ１は、外周面２１と固定クランプ板９１との間の隙間９０１の寸法ｔ１１と、固定クランプ板９１の厚さ寸法ｔ１２と、ゴムシート９１１の厚さ寸法ｔ１３と、シート９２３の厚さ寸法ｔ１４と、磁力板９２２の厚さ寸法ｔ１５と、可動クランプ板９２の厚さ寸法ｔ１６と、シート９２３の厚さ寸法ｔ１７と、の和となる。具体的な一例としては、Ｔ１＝ｔ１１（＝０．３ｍｍ）＋ｔ１２（＝１．０ｍｍ）＋ｔ１３（＝０．３ｍｍ）＋ｔ１４（＝０．１ｍｍ）＋ｔ１５（２．０＝ｍｍ）＋ｔ１６（＝１．０ｍｍ）＋ｔ１７（＝０．１ｍｍ）＝４．８ｍｍである。
【０００６】
このように、原紙係止装置９が孔版装着体２の外周面２１から突出しているので、プレスローラ８は、印刷工程において、回転する孔版装着体２の原紙係止装置９への衝突を避けるために、図７の矢印Ｂで示すように、カム機構（図示せず）によって原紙係止装置９を回避する揺動運動を行うよう、設けられている。
【特許文献１】特許第２６２８６４７号公報
【発明の開示】
【発明が解決しようとする課題】
【０００７】
上述のように、一般的な孔版印刷機においては、プレスローラ８が揺動運動を行うよう設けられているため、騒音が発生していた。そして、この騒音は、プレスローラ８の揺動寸法、すなわち、原紙係止装置を回避する距離が、大きいほど、大きいものであった。
【０００８】
ところで、プレスローラ８による騒音を低減するためには、原紙係止装置９の厚みを小さくして、プレスローラの揺動寸法を小さくすることが、考えられている。
【０００９】
そのために、従来においては、可動クランプ板を薄くすることが行われていた。しかしながら、可動クランプ板を薄くすると、可動クランプ板が磁力によって固定クランプ板に当接する際に、可動クランプ板の、孔版装着体の軸方向における、中央部分が、固定クランプ板に向けて湾曲し、孔版原紙を適切に挟持できない場合があった。
【００１０】
本発明は、騒音を低減でき、しかも、孔版原紙を適切に挟持できる、原紙係止装置を、提供することを目的としている。
【課題を解決するための手段】
【００１１】
本発明は、孔版原紙を孔版装着体に装着し、孔版原紙に対して用紙をプレスローラで押圧して印刷を行う、孔版印刷機において、孔版原紙を孔版装着体に装着する際に孔版原紙の一端を挟持して係止する、原紙係止装置であって、孔版装着体の外周面において、孔版装着体の軸方向に沿って延在している、固定クランプ板と、孔版装着体の外周面において、孔版装着体の軸方向に沿って延在しており、回動軸回りに回動して孔版装着体の回転方向側にて固定クランプ板に当接する、可動クランプ板と、からなっており、固定クランプ板の当接面には、孔版装着体の軸方向に沿って、磁力板が設けられており、可動クランプ板が、孔版装着体の回転方向に沿って、孔版装着体の半径方向外向きに凸状となった、屈曲形態を、有している、ことを特徴としている。
【００１２】
なお、本発明においては、次の構成（１）及び／又は（２）を採用するのが好ましい。
（１）固定クランプ板が、孔版装着体の軸方向に沿って延在するリブを有しており、リブの、孔版装着体の外周面からの突出寸法が、孔版装着体の外周面から、固定クランプ板に当接した可動クランプ板の上面までの、突出寸法に対して、同じに又は小さく、設定されている。
【００１３】
（２）孔版装着体の外周面から、固定クランプ板に当接した可動クランプ板の上面までの、突出寸法が、４ｍｍ以下に設定されている。
【発明の効果】
【００１４】
本発明によれば、可動クランプ板が屈曲形態を有しているので、屈曲形態を有さない従来例に比して、軸方向における強度を向上できる。それ故、可動クランプ板を、従来例の可動クランプ板よりも薄くできる。また、固定クランプ板の当接面に磁力板を設けているので、従来例のような滑り止め用のゴムシートを設ける必要がない。更に、磁力板を固定クランプ板に設けているので、可動クランプ板に磁力板を設ける必要がない。それ故、従来例のように磁力板と可動クランプ板とを一体化するためのシートを、設ける必要がない。
【００１５】
したがって、本発明の原紙係止装置によれば、孔版装着体の外周面からの突出寸法を、従来例に比して、小さくできる。それ故、本発明の原紙係止装置を用いた孔版印刷機においては、プレスローラの揺動寸法を、従来例に比して、小さくできる。したがって、プレスローラの揺動に起因した騒音を、従来に比して、低減できる。
【００１６】
また、プレスローラの揺動寸法を、従来例に比して、小さくできるので、孔版装着体に対するプレスローラのバウンド動作を減少でき、よって、印刷画像に濃淡が表れる現象の発生を低減でき、又は、濃淡が表れたとしても僅かなものにできる。
【００１７】
しかも、可動クランプ板が屈曲形態によって軸方向において補強されているので、可動クランプ板が固定クランプ板に当接する際に軸方向に湾曲することを防止できる。したがって、本発明の原紙係止装置によれば、孔版原紙を適切に挟持することができる。
【００１８】
また、上記構成（１）によれば、固定クランプ板がリブを有しているので、リブを有さない従来例に比して、固定クランプ板の軸方向における強度を向上できる。それ故、固定クランプ板を、従来例の固定クランプ板よりも薄くできる。したがって、この点からも、本発明の原紙係止装置は、孔版装着体の外周面からの突出寸法を、従来例に比して、小さくでき、よって、プレスローラの揺動に起因した騒音を、従来に比して、低減できる。
【００１９】
また、上記構成（２）によれば、上述した本発明の効果を確実に発揮できる。
【００２０】
また、リブの突出寸法が本発明の原紙係止装置の厚さ以下であるので、リブが、プレスローラの揺動寸法を小さくすることによる騒音の低減を、妨げることはない。
【発明を実施するための最良の形態】
【００２１】
図１は、本発明の原紙係止装置１を備えた孔版装着体２を示す斜視図である。図２は、図１のII矢視拡大図である。原紙係止装置１は、固定クランプ板１１と可動クランプ板１２とからなっている。両板共、孔版装着体２の外周面２１において、孔版装着体２の軸方向（矢印Ｃ方向）に沿って延在している。孔版装着体２は、いわゆる単胴式のものであり、１つの円筒状のドラムからなっている。固定クランプ板１１の両端１１１は、孔版装着体２の両側フレーム２０１にそれぞれ固定されている。可動クランプ板１２は、両端部にそれぞれ回動軸１２１を有しており、両側フレーム２０１に回動可能に支持されている。回動軸１２１は、固定クランプ板１１に対して、孔版装着体２の回転方向（矢印Ｄ方向）とは反対側にて、支持されている。したがって、可動クランプ板１２は、回動することによって、孔版装着体２の回転方向側にて、固定クランプ板１１に当接するようになっている。なお、可動クランプ板１２の回動による開閉作動は、可動クランプ板１２の一端側の回動軸１２１に連結しているレバー１２２が、公知の開閉機構によって操作されることにより、行われるようになっている。
【００２２】
図３は、孔版原紙１００を挟持した状態における原紙係止装置１の断面図である。図４は、孔版原紙１００を挟持する直前の原紙係止装置１の断面図である。固定クランプ板１１の当接面には、磁力板１１３が貼り付けられている。また、固定クランプ板１１の、磁力板１１３より回転方向側には、軸方向に延在するリブ１１５が設けられている。リブ１１５は、固定クランプ板１１を湾曲させて形成されている。可動クランプ板１２は、１枚の板で構成されており、孔版装着体２の回転方向に沿って、孔版装着体２の半径方向外向きに凸状となった、屈曲形態を、有している。すなわち、可動クランプ板１２は、屈曲部１２５を有している。具体的には、可動クランプ板１２は、側面視「への字」状の形態を有している。
【００２３】
上記構成の原紙係止装置１において、可動クランプ板１２は、上述した屈曲形態を有しているので、屈曲形態を有さない図８の従来例に比して、軸方向における強度が向上している。それ故、可動クランプ板１２は、従来例の可動クランプ板９２よりも薄くできる。
【００２４】
また、固定クランプ板１１は、リブ１１５を有しているので、リブを有さない図８の従来例に比して、軸方向における強度が向上している。それ故、固定クランプ板１１は、従来例の固定クランプ板９１よりも薄くできる。
【００２５】
また、固定クランプ板１１の当接面には、磁力板１１３が設けられているので、図８の従来例のような滑り止め用のゴムシート９１１を設ける必要がない。
【００２６】
更に、磁力板１１３が固定クランプ板１１に設けられているので、可動クランプ板１２に磁力板を設ける必要がない。それ故、図８の従来例のように磁力板と可動クランプ板９２とを一体化するためのシートを、設ける必要がない。
【００２７】
したがって、原紙係止装置１の、孔版装着体２の外周面２１からの突出寸法、すなわち、厚さＴ２は、外周面２１と固定クランプ板１１との間の隙間１０１の寸法ｔ２１と、固定クランプ板１１の厚さ寸法ｔ２２と、磁力板１１３の厚さ寸法ｔ２３と、可動クランプ板１２の厚さ寸法ｔ２４と、の和となる。そして、具体的な一例としては、Ｔ２＝ｔ２１（＝０．２５ｍｍ）＋ｔ２２（＝０．５ｍｍ）＋ｔ２３（＝１．０ｍｍ）＋ｔ２４（＝１．２ｍｍ）＝２．９５ｍｍである。
【００２８】
なお、リブ１１５の、孔版装着体２の外周面２１からの突出寸法は、上記厚さＴ２に対して、同じに又は小さく、設定されている。
【００２９】
このように、上記構成の原紙係止装置１によれば、孔版装着体２の外周面２１からの突出寸法を、図８の従来例に比して、小さくできる。それ故、この原紙係止装置１を用いた孔版印刷機においては、プレスローラの揺動寸法を、図８の従来例に比して、小さくできる。したがって、プレスローラの揺動に起因した騒音を、従来に比して、低減できる。
【００３０】
また、プレスローラの揺動寸法を、従来例に比して、小さくできるので、孔版装着体２に対するプレスローラのバウンド動作を減少でき、よって、印刷画像に濃淡が表れる現象の発生を低減でき、又は、濃淡が表れたとしても僅かなものにできる。
【００３１】
なお、リブ１１５の突出寸法は、上記厚さＴ２以下であるので、プレスローラの揺動寸法を小さくすることによる騒音の低減を、妨げることはない。
【００３２】
しかも、上記構成の原紙係止装置１によれば、可動クランプ板１２は、屈曲形態によって軸方向において補強されているので、固定クランプ板１１に当接する際に軸方向に湾曲することはない。したがって、上記構成の原紙係止装置１によれば、孔版原紙１００を適切に挟持することができる。
【００３３】
なお、本発明の原紙係止装置１は、上記厚さＴ２が４ｍｍ以下であれば、上述した効果を確実に発揮できる。
【００３４】
また、上記構成の原紙係止装置１は、上述した例においては、図７に示す単胴式の孔版装着体２に設けているが、図５又は図６に示すような複胴式の孔版装着体２に設けてもよい。
【産業上の利用可能性】
【００３５】
本発明の原紙係止装置は、騒音を低減でき、しかも、孔版原紙を適切に挟持できるので、産業上の利用価値が大である。
【図面の簡単な説明】
【００３６】
【図１】本発明の原紙係止装置を備えた孔版装着体を示す斜視図である。
【図２】図１のII矢視拡大図である。
【図３】孔版原紙を挟持した状態における原紙係止装置の断面図である。
【図４】孔版原紙を挟持する直前の原紙係止装置の断面図である。
【図５】本発明の原紙係止装置を備えた複胴式の孔版装着体を有する孔版印刷機の一例を示す断面模式図である。
【図６】本発明の原紙係止装置を備えた複胴式の孔版装着体を有する孔版印刷機の別の例を示す断面模式図である。
【図７】従来の原紙係止装置を用いた孔版印刷機を示す模式断面図である。
【図８】孔版原紙を挟持した状態における従来の原紙係止装置を示す断面図である。
【符号の説明】
【００３７】
１  原紙係止装置  １００  孔版原紙  １１  固定クランプ板  １１３  磁力板  １１５  リブ  １２  可動クランプ板  １２１  回動軸  ２  孔版装着体  ２１  外周面  ８  プレスローラ
【図１】
2008142902.tif 000003
【図２】
2008142902.tif 000004
【図３】
2008142902.tif 000005
【図４】
2008142902.tif 000006
【図５】
2008142902.tif 000007
【図６】
2008142902.tif 000008
【図７】
2008142902.tif 000009
【図８】
2008142902.tif 000010